(57)【要約】【課題】  簡単な構造で、隣接したライトパイプへの光漏れを防止することのできる状態表示装置を提供することを課題とする。【解決手段】  複数の光案内部材８の各々は、一端に受光面８ｂを有し他端に表示部８ａを有する。発光素子１０Ａ，１０Ｂ，１０Ｃが各光案内部材８の受光面８ｂに対向するように配置される。遮光部材２０は、光案内部材８のうち隣り合う２つの光案内部材８の間に延在する遮光部２０ａを有する。【選択図】  図１８
2010067396.tif 000002
【特許請求の範囲】
【請求項１】
一端に受光面を有し他端に表示部を有する複数の光案内部材と、
前記受光面に対向するように配置された複数の発光素子と、
前記光案内部材のうち隣り合う２つの光案内部材の受光面の間に延在する遮光部を有する遮光部材と
を有する状態表示装置。
【請求項２】
請求項１記載の状態表示装置であって、
前記遮光部材は弾性材料により形成された部材である状態表示装置。
【請求項３】
請求項２記載の状態表示装置であって、
前記遮光部材は隣り合う２つの光案内部材の間に挿入可能な係合部を有する状態表示装置。
【請求項４】
請求項１記載の状態表示装置であって、
前記遮光部材は、支持部と、前記支持部から垂直方向に延在する遮光部と、前記支持部から前記遮光部と同じ方向に延在する係合部とを有し、前記支持部と前記遮光部と前記係合部とは弾性材料により一体的に形成された状態表示装置。
【請求項５】
複数のモジュールが接続可能なケージと、
前記ケージが搭載された基板と
前記基板に搭載された、付記１乃至１０のうちいずれか一項記載の状態表示装置と
を有するプラグインユニットであって、
前記光案内部材は前記ケージに取り付けられ、前記状態表示装置の発光素子は前記基板に搭載されたプラグインユニット。
【発明の詳細な説明】
【技術分野】
【０００１】
本発明は装置の動作状態を光で表示する状態表示装置に関する。
【背景技術】
【０００２】
電気機器の一例として光伝送装置において、光伝送装置に組み込まれた各インターフェースカードに接続された複数の光モジュールの動作状態を表示する状態表示部が設けられることが多い。状態表示装置は、例えば、複数の光モジュールが接続される部分において光モジュールが正常に動作可能な正常状態であることを示すために緑色に光る部分、故障などで正常に動作できない異常状態であることを示す赤色に光る部分、動作試験中などの待機状態であることを示す橙色に光る部分を有する。このように赤色、緑色、橙色などに光る部分を状態表示部と称する。
【０００３】
インターフェースカードには多数の光モジュールが整列して接続されるため、各光モジュールに対応して多数の状態表示部がインターフェースカードに設けられる。具体的には、光モジュールが接続されるケージ（コネクタ）の前面側に状態表示部が設けられる。
【０００４】
状態表示部自体をＬＥＤなどの発光素子とすると、各光モジュールに対して１個又は複数個の発光素子を設ける必要がある。しかし、高密度化された光伝送装置ではそのような発光素子をケージの前面側に設けるためのスペースを確保することが難しい。
【０００５】
そこで、光モジュールが高密度に設けられた光伝送装置では、ケージ自体は発光素子を備えておらず、ケージ搭載される基板にＬＥＤなどの発光素子が搭載される。したがって、基板上のＬＥＤなどの発光素子からの光をケージの前面側の状態表示部まで案内する光ガイドがケージの外側に設けられる。光ガイドは細長いパイプ状の透明なプラスチック部品であり、ライトパイプと称される。
【０００６】
ライトパイプの一端側の端面（受光面）は発光素子の近傍に配置され、発光素子からの光が受光面からライトパイプに入射し、反対側の端面から射出する。これにより、反対側の端面が発光素子と同じ色に光り、状態表示が行なわれる。すなわち、ライトパイプの受光面とは反対側の端部が上述の状態表示部として機能する。
【０００７】
発光素子が複数の色に発光する場合（例えば、赤、緑、橙色の３色に発光するＬＥＤ）、ライトパイプは各光モジュールに対応して１本設ければよい。ところが、複数の色に発光するＬＥＤは発光色のばらつきが大きく、発光状態を誤認する可能性がある。そこで、複数の色を表示する場合、複数の色の各々に対応する発光素子を別個に設けることが好ましい。
【０００８】
複数の色の各々に対応する発光素子を個別に設ける場合であって、各光モジュールの動作、非動作を表示する場合は、各光モジュール（すなわち各コネクタ）に対応して設けられた一本のライトパイプに対して２個の発光素子が基板に搭載される。また、各光モジュールの動作、待機、非動作を表示する場合は、一本のライトパイプに対して３個の発光素子が基板に搭載される。また、多数の光モジュールが整列してケージに接続されるため、基板上には、光モジュールの数（すなわちライトパイプの数）と同数の発光素子、あるいはその２倍、３倍の数の発光素子が近接して搭載される。
【０００９】
このように、近接した多数のライトパイプの各々に対して発光素子が設けられるので、基板上での発光素子の間隔は狭くなる。特に高密度化された光伝送装置では、ライトパイプの間隔が狭くなるので、それに伴い発光素子の間隔も非常に狭くなる。
【００１０】
上述のように、隣接したライトパイプの各々に対する発光素子の間隔が狭くなると、１本のライトパイプに対する発光素子からの光が、隣接したライトパイプに入射するおそれがある。発光素子の上面とライトパイプの端面（受光面）とが接触する程度に近接していれば、隣接したライトパイプへの光の漏れはほとんど無視できる。ところが、発光素子の上面とライトパイプの端面（受光面）との間には、部品の加工寸法公差や組立寸法公差を考慮してある程度の距離を設ける必要があるため、隣接したライトパイプへの光の漏れは無視できない程度となる場合がある。例えば、緑色の光を伝播しているライトパイプに、隣接したライトパイプへの赤色の光が漏れて入ってしまった場合には、状態表示部は本来は緑色に光るところが、緑色と赤色が混ざって橙色の光となってしまい、異なる動作状態の表示となってしまう。
【００１１】
以上のように、ライトパイプの間隔が狭くなると、一本のライトパイプに対応する発光素子からの光が、隣接したライトパイプに漏れて入射し、本来の色とは異なる色の光での表示となって誤認するおそれがある。
【００１２】
ここで、隣接した発光素子から隣接したライトガイドのそれぞれに光を入射する構造において、隣接したライトガイドの間の連結部分に切り込み部を設けて隣の発光素子からの光を切り込み部で散乱させて、光漏れを防止することが提案されている（例えば、特許文献１参照。）。また、送信信号用発光素子と受光信号用発光素子とを備えた光モジュールにおいて、送信信号光と受信信号光の光路を分割するために遮光性の仕切り板を設けることが提案されている（例えば、特許文献２参照。）。
【特許文献１】実開平７−３２６０４号公報
【特許文献２】特開２００１−１１６９６１号公報
【発明の開示】
【発明が解決しようとする課題】
【００１３】
上述の特許文献１に開示された切り込み部は、隣接するライトガイドの受光面の後方の部分が一体的に接続された連結部分に設けられ、切り込み部の傾斜面により漏れ光を散乱させて隣接したライトガイドに入射しないようにするものである。したがって、ライトガイド（ライトパイプに相当）の連結部分が受光面より後方にある場合に切り込み部を設けることで漏れ光を防止することができる。しかし、光伝送装置におけるライトパイプの連結部が受光面より前方にある場合は、切り込み部を設けても漏れ光防止の効果は無い。
【００１４】
また、上述の特許文献２に開示された仕切り板は、送信信号光が１本の光ファイバの端面で反射して戻ってきて受光素子に入射することを防止するためのものであって、隣接した発光素子の光が漏れて光ファイバに入射することを防止するものではない。したがって、発光素子と光ファイバ（ライトパイプ）の構造が全く異なり、特許文献２に開示された仕切り板を上述の光モジュールのライトパイプに適用することはできない。
【００１５】
そこで、簡単な構造で、隣接したライトパイプへの光漏れを防止することのできる技術の開発が望まれている。
【課題を解決するための手段】
【００１６】
一実施形態によれば、一端に受光面を有し他端に表示部を有する複数の光案内部材と、受光面に対向するように配置された複数の発光素子と、光案内部材のうち隣り合う２つの光案内部材の間に延在する遮光部を有する遮光部材とを有する状態表示装置が提供される。
【発明の効果】
【００１７】
上述の状態表示装置によれば、遮光部材を光案内部材に取り付けるだけの簡単な構造で、隣接した光案内部材への光り漏れを防止することができ、正確な状態表示を行なうことができる。
【発明を実施するための最良の形態】
【００１８】
図１は一実施形態による動作状態表示装置が適用される電気機器の一例である光伝送装置の分解斜視図である。
【００１９】
図１に示す光伝送装置１はいわゆるブックシェルフ型の装置であり、筐体２内に多数のプラグインユニット３（インターフェースカード）を収容することができる。プラグインユニット３は搭載枠４に組み込まれたうえで、搭載枠４が光伝送装置１の筐体２に組み込まれる。
【００２０】
プラグインユニット３は、信号伝送回路が形成されたプリント基板５と、プリント基板５に搭載されたコネクタであるＳＦＰ（Small Form-Factor Pluggable）ゲージ６とを有する。ＳＦＰケージ６には、光送受信モジュールとして多数のＳＦＰ（Small Form-Factor Pluggable）モジュール７が接続可能である。ＳＦＰモジュール７は、光伝送装置の分野において標準化されて一般的に用いられている標準モジュールである。したがって、ＳＦＰモジュール７が接続されるＳＦＰケージ６も光伝送装置の分野において標準化されている。
【００２１】
図２は図１に示すプラグインユニット３の一例を示す斜視図である。プラグインユニット３はプリント基板５を有するが、ＳＦＰケージ６は、プリント基板５より小さなプリント基板７を介してプリント基板５に搭載される。すなわち、ＳＦＰケージ６はまずプリント基板７に搭載され、プリント基板７がプリント基板５に搭載される。
【００２２】
ここで、ＳＦＰケージとして、図２の上側に示すＳＦＰケージ６Ａは、両面実装タイプで６連タイプのＳＦＰケージである。すなわち、２個のＳＦＰケージ６Ａが、プリント基板７の両面にそれぞれ搭載され、ＳＦＰケージ６Ａの各々はＳＦＰモジュール７が挿入され接続される接続部を６個有している。
【００２３】
一方、図２の下側に示すＳＦＰケージ６Ｂは、二階建てタイプで８連タイプのＳＦＰケージである。すなわち、ＳＦＰケージ６Ｂは、ＳＦＰモジュール７が挿入され接続される接続部を８個有しており、そのうち４個が一列に整列しており、その列の上にさらに４個が整列している。
【００２４】
図２では見えないが、プリント基板７には状態表示用の発光素子としてＬＥＤが搭載されている。ＬＥＤからの光は、光案内部材であるライトパイプ８の受光面に入射し、反対側の先端に形成された表示部８ａに導かれる。
【００２５】
図３はプリント基板５に搭載されたＳＦＰケージ６Ａの斜視図であり、ＳＦＰケージ６Ａを後側から見た状態が示されている。図４はプリント基板５に搭載されたＳＦＰケージ６Ａの平面図である。なお、図３及び４において、プリント基板５は簡略化して長方形として示されている。また、図５はプリント基板５に搭載されたＳＦＰケージ６Ａの正面図であり、図６はプリント基板５に搭載されたＳＦＰケージ６Ａの側面図である。
【００２６】
図３乃至６に示されるように、ライトパイプ８は２個のＳＦＰケージ６Ａのうちの一方にのみ設けられ、ＳＦＰケージ６Ａの後側でプリント基板５の近傍から立ち上がってＳＦＰケージ６Ａの後面及び上面に沿い、ＳＦＰケージ６Ａの前面近傍の表示部８ａまで延在している。図３乃至６に示す例では、一方のＳＦＰケージ６Ａにのみ複数のライトパイプ８（３乃至６に示す例では１６本）が設けられている。ＳＦＰモジュール７が挿入され接続される接続部は２個ずつ重なっており、その２個の接続部の位置に対応して２本のライトパイプ８が隣接して設けられる。したがって、一方のＳＦＰケージ６Ａに、両方のＳＦＰケージ６Ａの接続部の数と同じ数のライトパイプ８が設けられる。
【００２７】
なお、複数のライトパイプ８は、一体の部品として成形するために、ライトパイプ８を横断する連結部により接続されている。このように一体の成形品としてＳＦＰケージ６Ａの一方に取り付けられる。各ライトパイプ８の一端（受光面）とプリント基板７との間には、後述のように発光素子としてＬＥＤが設けられる。
【００２８】
図７乃至１０は、図２に示されたＳＦＰケージ６Ｂを説明するための図である。図７はプリント基板５に搭載されたＳＦＰケージ６Ｂの斜視図であり、ＳＦＰケージ６Ｂを後側から見た状態が示されている。図８はプリント基板５に搭載されたＳＦＰケージ６Ｂの平面図である。なお、図７及び８において、プリント基板５は簡略化して長方形として示されている。また、図９はプリント基板５に搭載されたＳＦＰケージ６Ｂの正面図であり、図１０はプリント基板５に搭載されたＳＦＰケージ６Ｂの側面図である。
【００２９】
図７乃至１０に示されるように、ライトパイプ８はＳＦＰケージ６Ｂの外側に設けられ、ＳＦＰケージ６Ｂの後側でプリント基板５の近傍から立ち上がってＳＦＰケージ６Ｂの上面に沿い、ＳＦＰケージ６Ｂの前面近傍の表示部８ａまで延在している。図７乃至１０に示す例では、ＳＦＰモジュール７が挿入され接続される接続部は２個ずつ重なっており、その２個の接続部の位置に対応して２本のライトパイプ８が隣接して設けられる。したがって、ＳＦＰケージ６Ｂの接続部の数と同じ数のライトパイプ８が設けられる。
【００３０】
なお、複数のライトパイプ８は、一体の部品として成形するために、ライトパイプ８を横断する連結部により接続されている。このように一体の成形品としてＳＦＰケージ６Ａの一方に取り付けられる。各ライトパイプ８の一端（受光面）とプリント基板７との間には、後述のように発光素子としてＬＥＤが設けられる。
【００３１】
次に、プリント基板７に搭載された発光素子としてのＬＥＤとライトパイプ８との位置関係について説明する。図１１は図４に示すＳＦＰケージ６Ａを拡大して示す平面図であり、図１２は図１１の矢印Ａ方向から見た図である。また、図１３は図１１において円で囲んだ部分をさらに拡大して示す図である。
【００３２】
図１３に詳細に示すように、各ライトパイプ８の端面（受光面）８ｂの下には、赤色ＬＥＤ１０Ａ、緑色ＬＥＤ１０Ｂ、及び橙色ＬＥＤの３個の発光素子が配置される。赤色ＬＥＤ１０Ａ、緑色ＬＥＤ１０Ｂ、及び橙色ＬＥＤは、ＳＦＰケージ６Ａが搭載されるプリント基板７に実装されて配置される。ＳＦＰケージ６Ａの一つの接続部（すなわち一つのＳＦＰモジュール７）に対して一本のライトパイプ８が設けられる。接続部が２つ重なった状態で配列されているため、２本のライトパイプ８が近接して設けられる。したがって、赤、緑、橙の３個のＬＥＤを１組として、２組のＬＥＤがプリント基板７上で近接して配置される。
【００３３】
図１１に示す例では、２つのＳＦＰケージ６Ａで合計１２個の接続部があるため、１２本のライトパイプ８が設けられ、１２本のライトパイプ８は連結部８ｃで連結されて一体となっている。
【００３４】
図１４は図１１に示すプリント基板７に搭載された状態のＳＦＰケージ６Ａの側面図であり、図１５は図１４において円で囲んだ部分を拡大して示す図である。
【００３５】
図１５に示すように、ライトパイプ８の連結部８ｃは、ライトパイプ８の受光面８ｂの近傍でライトパイプ８が整列した方向に延在する。連結部８ｃの一部からはプリント基板７に向かって当接部８ｄが延在し、当接部８ｃの先端はプリント基板７に当接している。
【００３６】
以上のように、プリント基板７に搭載されたＬＥＤ（発光素子）と、ＬＥＤからの光を受光面８ｂから表示部８ａまで導くライトパイプ８とで、光伝送装置の各ＳＦＰモジュール７の動作状態を表示する状態表示装置が形成されている。
【００３７】
ライトパイプ８の受光面８ｂから当接部８ｄの先端までの距離Ｄは、赤色ＬＥＤ１０Ａ、緑色ＬＥＤ１０Ｂ、及び橙色ＬＥＤ１０Ｃの高さＨより大きく設定されており、受光面８ｂが赤色ＬＥＤ１０Ａ、緑色ＬＥＤ１０Ｂ、及び橙色ＬＥＤ１０Ｃに接触しないようになっている。赤色ＬＥＤ１０Ａ、緑色ＬＥＤ１０Ｂ、及び橙色ＬＥＤ１０Ｃの寸法にはばらつきがあり、且つそれらをプリント基板７に実装したときの高さＨのばらつきも大きいため、距離Ｄは高さＨより十分に大きく設定される。したがって、赤色ＬＥＤ１０Ａ、緑色ＬＥＤ１０Ｂ、及び橙色ＬＥＤ１０Ｃの上面とライトパイプ８の受光面８ｂとの間に間隙Ｇが生じる。
【００３８】
このように間隙Ｇが生じるために、一つのライトパイプ８に、隣のライトパイプ８に対して設けられたＬＥＤからの光が漏れて入射するおそれがある。図１６は図１２において円で囲んだ部分を拡大して示す図である。図１６において、左側のライトパイプ８に対して設けられた緑色ＬＥＤ１０Ｂから出た光は、空隙Ｇを通過して隣接した右側のライトパイプ８の受光面８ｂに入射することが示されている。すなわち、一本のライトパイプ８に対応するＬＥＤが発光すると、隣接したライトパイプ８にも光が入射し（この光りを漏れ光と称することもある）、隣接したライトパイプ８の表示部８ａも発光してしまうという問題が生じるおそれがある。
【００３９】
また、図１７に示すように、左側のライトパイプ８に対して設けられた緑色ＬＥＤ１０Ｂが発光し、同時に右側のライトパイプ８に対して設けられた赤色ＬＥＤ１０Ａが発光する場合もある。この場合、図１７中矢印で示すように、両方のライトパイプ８の各々に隣のライトパイプ８に入射すべき光が入射することとなり、発光色が変化してしまうという問題が生じるおそれがある。図１７に示す例では、左側のライトパイプ８に対して緑色ＬＥＤ１０Ｂが発光しており、右側のライトパイプに対して赤色ＬＥＤ１０Ａが発光している。この場合、赤色光は緑色光に対して強く影響するため色の変化が大きく、左側のライトパイプ８の表示部８ａは本来緑色でなければならないのに、赤色光が混ざるため橙色に変化してしまう。このため、操作者は、緑色で示される正常な動作状態ではなく橙色で示される待機状態であると誤認するおそれがある。
【００４０】
そこで、一実施形態による状態表示装置では、上述の漏れ光を遮断するための遮光部材をライトパイプ８に取り付けて、隣接したライトパイプ８の受光面８ｂに漏れ光が入射しないようにしている。
【００４１】
図１８は遮光部材２０を取り付けた状態のライトパイプ８を示す斜視図である。遮光部材２０は、ゴム、弾性プラスチック、発泡材等の弾性材料で形成され、光を透過しないように不透明な材料であればよい。遮光部材２０は、隣接するライトパイプ８の間に挿入される部分である遮光部２０ａを有し、遮光部２０ａで漏れ光を遮断する。
【００４２】
図１９は遮光部材２０の斜視図である。また、図２０は遮光部材２０の平面図、図２１は正面図、図２２は側面図である。遮光部材２０は支持部２０ｂを有し、遮光部２０ａは支持部２０ｂから垂直方向に延在している。また、支持部２０ｂからは、上から見ると矢印形状の係合部２０ｃが支持部２０ｂに対して垂直方向に延在している。遮光部材２０は弾性材料で形成されているので、図１８に示すように隣接するライトパイプ８の間に係合部２０ｃを挿入することができる。係合部２０ｃの矢印形状が２本のライトパイプ８に係合し、遮光部材２０はライトパイプ８に取り付けられる。この際、遮光部２０ａは隣接するＬＥＤの受光面の間に延在することとなり、ＬＥＤからの漏れ光を遮断することができる。
【００４３】
図２３は遮光部材２０が取り付けられたライトパイプ８の側面図であり、図２４は図２３における円で囲んだ部分の拡大図である。なお、図２４において、遮光部材２０をわかりやすくするために、遮光部材２０に網かけが施されている。遮光部材２０がライトパイプ８に取り付けられると、遮光部材２０の遮光部２０ａは、ライトパイプ８の連結部８ｃとプリント基板７との間に挟まれた状態となる。ライトパイプ８の連結部８ｃの下面は受光面８ｂと同一平面であり、ライトパイプ８の連結部８ｃの下面とプリント基板７との間には、図１５に示す距離Ｄの間隙がある。遮光部材２０の遮光部２０ａの高さは、距離Ｄより僅かに大きい寸法となっている。したがって、遮光部２０ａは、弾性的に圧縮されながらプリント基板７と連結部８ｃとの間の間隙に挿入される。これにより、遮光部２０ａが挿入された状態で、遮光部２０ａの高さは受光面８ｂの高さに等しいかそれより僅かに高い位置となり、漏れ光を完全に遮断することができる。
【００４４】
図２５は遮光部材２０が取り付けられた状態のライトパイプ８をＳＦＰケージ６Ａの後ろ側から見た図であり、図２６は図２５における楕円で囲んだ部分の拡大図である。図２６において、遮光部材２０で隠れたライトパイプ８を示すために、遮光部材２０の支持部２０ｃを切断して取り除いた状態が示されている。
【００４５】
図２６に示すように、遮光部材２０の遮光部２０ａが緑色ＬＥＤ１０Ｂと赤色ＬＥＤ１０Ａとの間に延在しているので、緑色ＬＥＤ１０Ｂからの光は遮光部２０で遮断され隣のライトパイプ８の受光面８ｂには入射しない。また、同様に、赤色ＬＥＤ１０Ａからの光は遮光部２０で遮断され隣のライトパイプ８の受光面８ｂには入射しない。
【００４６】
以上のように、本実施形態による状態表示装置によれば、遮光部材２０をライトパイプ８に取り付けるという簡単な部品を追加するだけで、遮光部２０ａにより漏れ光が遮断されて隣のライトパイプ８に入射することが無く、発光素子の発光通りの状態表示を行なうことができる。また、遮光部材２０は弾性材料で形成されており、容易に既存のライトパイプ８に取り付けることができるため、既存の光伝送装置のプラグインユニットに設けられた状態表示装置に本実施形態による遮光部材を組み込むことができる。
【００４７】
なお、一つのライトパイプ８に対応する三色のＬＥＤの配置は、上述の説明における配置に限られることなく、赤色ＬＥＤと緑色ＬＥＤを入れ代えたりして、任意の配置とすることができる。また、三色の組み合わせも、赤、緑、橙、に限られず、任意の色の組み合わせとすることができる。さらに、３個のＬＥＤではなく、複数の色で発光する一個のＬＥＤのみで状態表示する状態表示装置としてもよい。あるいは、単色で発光する一個のＬＥＤとすることもできる。
【００４８】
以上、遮光部材２０を有する状態表示装置について、図２に示す両面実装タイプのＳＦＰケージ６Ａに係るライトパイプ８を例にとって説明したが、同様に、二階建てタイプのＳＦＰケージ６Ｂに係るライトパイプ８にも上述の遮光部材２０を取り付けることができる。
【００４９】
次に、遮光部材２０の変形例について以下に説明する。
【００５０】
図２７は支持部がライトパイプ８の裏側に配置される形状の遮光部材２０Ａを取り付けた状態のライトパイプ８の斜視図である。図２８は図２７に示す遮光部材２０Ａの斜視図である。遮光部材２０Ａの支持部２０Ａｂは、ライトパイプ８の裏側、すなわちライトパイプとＳＦＰケージ６Ａの後面との間に配置される。したがって、遮光部２０Ａａ及び係合部２０Ａｃは、ライトパイプ８の裏側からライトパイプ８の間に延在することとなる。この場合、ライトパイプ８の表側から遮光部材２０Ａを取り付けることができないので、ＳＦＰケージ６Ａをプリント基板７に取り付ける前に、隣接する二本のライトパイプ８の下側から遮光部材２０Ａをライトパイプ８の間に挿入して取り付ける。このように取り付けられた遮光部材２０Ａは大きな力で引っ張られてもライトパイプ８の間から抜けることはなく、確実にライトパイプ８の間に取り付けておくことができる。
【００５１】
図２９は一つの支持部２０Ｂｂから複数の遮光部２０Ｂａ及び複数の係合部２０Ｂｃが延在した形状の遮光部材２０Ｂの斜視図である。図２９に示す例では、遮光部材２０Ｂは、１６本のライトパイプ８の間の全てに入るように、１５個の遮光部２０Ｂａ及び１５個の係合部２０Ｂｃが一つの長細い支持部２０Ｂｂから延在した形状となっている。すなわち、遮光部２０Ｂａは、図１９に示す遮光部材２０が１５個整列して一体となった形状である。この場合、一つの遮光部材を取り付けるだけで、全てのライトパイプ８に対して遮光部２０Ｂａを一度に配置することができ、組み立て工数が少なくなり、部品点数も少なくなる。
【００５２】
図３０は複数の遮光部材を連結可能な形状とした遮光部材２０Ｃの斜視図である。遮光部材２０Ｃの凸部と凹部を組み合わせることで、任意の数の遮光部材２０Ｃを連結して一体とすることができる。図３１は５個の遮光部材２０Ｃを連結して一体とした状態を示す斜視図である。なお、図３０，３１に示す遮光部材２０Ｃは両側に凸部を有するものと、両側に凹部を有するものとがあるが、片側に凸部を設け反対側に凹部を設けた一つの形状としてもよい。
【００５３】
図３２は上面に番号を表示した遮光部材２０Ｂをライトパイプ８に取り付けた状態の斜視図である。番号は各ライトパイプ８に対応した位置に表示され、各ライトパイプ８の番号を示している。ライトパイプ８の番号は、ＳＦＰケージ６Ｂの各接続部の番号に対応しており、したがって各接続部に接続されるＳＦＰモジュール７の番号を示すこととなる。番号は、型成形時に番号を型に彫り込んでおくことで、遮光部材２０Ｂに設けることができる。あるいは、遮光部材２０Ｂを成形した後でその上面にシルクスクリーン等で印刷することもできる。
【００５４】
このように遮光部材に番号を設けておくことで、例えばメンテナンス作業時において、ＳＦＰケージ６Ｂの裏側から作業を行なっている場合、各ＳＦＰケージ６Ｂの動作状態を確認するためにＳＦＰケージ６Ｂの表側の表示部８ａを見る必要が無くなり、メンテナンス作業が容易となる。例えば、ＳＦＰケージ６Ｂに接続された１番の光モジュールの動作状態を確認したいときには、遮光部材２０Ｂの「１」と表示された位置のライトパイプ８の色を確認すればよいので、ＳＦＰケージ６Ｂの後ろ側からでも光モジュールの動作状態を確認することができる。
【００５５】
本明細書は以下の事項を開示する。
（付記１）
一端に受光面を有し他端に表示部を有する複数の光案内部材と、
前記受光面に対向するように配置された複数の発光素子と、
前記光案内部材のうち隣り合う２つの光案内部材の受光面の間に延在する遮光部を有する遮光部材と
を有する状態表示装置。
（付記２）
付記１記載の状態表示装置であって、
前記遮光部材は弾性材料により形成された部材である状態表示装置。
（付記３）
付記２記載の状態表示装置であって、
前記遮光部材は隣り合う２つの光案内部材の間に挿入可能な係合部を有する状態表示装置。
（付記４）
付記３記載の状態表示装置であって、
前記遮光部は、前記光案内部の受光面より下側に配置される状態表示装置。
（付記５）
付記１記載の状態表示装置であって、
前記遮光部材は、支持部と、前記支持部から垂直方向に延在する遮光部と、前記支持部から前記遮光部と同じ方向に延在する係合部とを有し、前記支持部と前記遮光部と前記係合部とは弾性材料により一体的に形成された状態表示装置。
（付記６）
付記５記載の状態表示装置であって、
前記遮光部材の前記支持部は、前記光案内部材に対して前記光案内部材が取り付けられる装置とは反対側に位置し、
前記遮光部材の前記係合部は、前記光案内部材の間を通過して前記装置側に延在し、
前記遮光部材の前記遮光部は、前記光案内部の受光面より下側に配置される状態表示装置。
（付記７）
付記５記載の状態表示装置であって、
前記遮光部材の前記支持部は、前記光案内部材に対して前記光案内部材が取り付けられる装置と同じ側に位置し、
前記遮光部材の前記係合部は、前記光案内部材の間を通過して前記装置とは反対側に延在し、
前記遮光部材の前記遮光部は、前記光案内部の受光面より下側に配置される状態表示装置。
（付記８）
付記５記載の状態表示装置であって、
前記遮光部材は一つの前記支持部から延在する複数の前記遮光部及び複数の前記係合部を有する状態表示装置。
（付記９）
付記８記載の状態表示装置であって、
前記遮光部材の前記支持部において、前記光案内部材の各々に対応した位置に番号が表示された状態表示装置。
（付記１０）
前記遮光部材は、他の遮光部材と連結及び離脱可能である状態表示装置。
（付記１１）
複数のモジュールが接続可能なケージと、
前記ケージが搭載された基板と
前記基板に搭載された、付記１乃至１０のうちいずれか一項記載の状態表示装置と
を有するプラグインユニットであって、
前記光案内部材は前記ケージに取り付けられ、前記状態表示装置の発光素子は前記基板に搭載されたプラグインユニット。
【図面の簡単な説明】
【００５６】
【図１】一実施形態による動作状態表示構造が適用される電気機器の一例である光伝送装置の分解斜視図である。
【図２】図１に示すプラグインユニットの一例を示す斜視図である。
【図３】プリント基板に搭載された両面実装型ＳＦＰケージを後側から見た斜視図である。
【図４】プリント基板に搭載された両面実装型ＳＦＰケージの平面図である。
【図５】プリント基板に搭載された両面実装型ＳＦＰケージの正面図である。
【図６】プリント基板に搭載された両面実装型ＳＦＰケージの側面図である。
【図７】プリント基板に搭載された二回建て型ＳＦＰケージを後側から見た斜視図である。
【図８】プリント基板に搭載された二回建て型ＳＦＰケージの平面図である。
【図９】プリント基板に搭載された二回建て型ＳＦＰケージの正面図である。
【図１０】プリント基板に搭載された二回建て型ＳＦＰケージの側面図である。
【図１１】図４に示すＳＦＰケージを拡大して示す平面図である。
【図１２】図１１の矢印Ａ方向から見た図である。
【図１３】図１１において円で囲んだ部分を拡大して示す図である。
【図１４】図１１に示すプリント基板に搭載された状態のＳＦＰケージの側面図である。
【図１５】図１４において円で囲んだ部分を拡大して示す図である。
【図１６】図１２において円で囲んだ部分を拡大して示す図である。
【図１７】図１２において円で囲んだ部分を拡大して示す図である。
【図１８】遮光部材を取り付けた状態のライトパイプを示す斜視図である。
【図１９】遮光部材の斜視図である。
【図２０】遮光部材の平面図である。
【図２１】遮光部材の正面図である。
【図２２】遮光部材の側面図である。
【図２３】遮光部材が取り付けられたライトパイプ８の側面図である。
【図２４】図２３における円で囲んだ部分の拡大図である。
【図２５】遮光部材が取り付けられた状態のライトパイプをＳＦＰケージ６Ａの後ろ側から見た図である。
【図２６】図２５における楕円で囲んだ部分の拡大図である。
【図２７】支持部がライトパイプの裏側に配置される形状の遮光部材を取り付けた状態のライトパイプの斜視図である。
【図２８】図２７に示す遮光部材の斜視図である。
【図２９】一つの支持部から複数の遮光部及び複数の係合部が延在した形状の遮光部材の斜視図である。
【図３０】複数の遮光部材を連結可能な形状とした遮光部材の斜視図である。
【図３１】５個の遮光部材を連結して一体とした状態を示す斜視図である。
【図３２】上面に番号を表示した遮光部材をライトパイプに取り付けた状態の斜視図である。
【符号の説明】
【００５７】
１  光伝送装置
２  筐体
３  プラグインユニット
４  搭載枠
５  プリント基板
６，６Ａ，６Ｂ  ＳＦＰケージ
７  プリント基板
８  ライトパイプ
８ａ  表示部
８ｂ  受光面
８ｃ  連結部
８ｄ  当接部
１０Ａ  赤色ＬＥＤ
１０Ｂ  緑色ＬＥＤ
１０Ｃ  橙色ＬＥＤ
２０，２０Ａ，２０Ｂ，２０Ｃ  遮光部材
２０ａ，２０Ａａ，２０Ｂａ  遮光部
２０ｂ，２０Ａｂ，２０Ｂｂ  支持部
２０ｃ，２０Ａｃ，２０Ｂｃ  係合部
【図１】
2010067396.tif 000003
【図２】
2010067396.tif 000004
【図４】
2010067396.tif 000005
【図５】
2010067396.tif 000006
【図６】
2010067396.tif 000007
【図８】
2010067396.tif 000008
【図１０】
2010067396.tif 000009
【図１１】
2010067396.tif 000010
【図１２】
2010067396.tif 000011
【図１３】
2010067396.tif 000012
【図１４】
2010067396.tif 000013
【図１６】
2010067396.tif 000014
【図１７】
2010067396.tif 000015
【図１８】
2010067396.tif 000016
【図１９】
2010067396.tif 000017
【図２０】
2010067396.tif 000018
【図２１】
2010067396.tif 000019
【図２２】
2010067396.tif 000020
【図２３】
2010067396.tif 000021
【図２４】
2010067396.tif 000022
【図２５】
2010067396.tif 000023
【図２６】
2010067396.tif 000024
【図２７】
2010067396.tif 000025
【図２８】
2010067396.tif 000026
【図２９】
2010067396.tif 000027
【図３０】
2010067396.tif 000028
【図３１】
2010067396.tif 000029
【図３２】
2010067396.tif 000030
【図３】
2010067396.tif 000031
【図７】
2010067396.tif 000032
【図９】
2010067396.tif 000033
【図１５】
2010067396.tif 000034